(57)【特許請求の範囲】
【請求項１】
主幹ブレーカ及び分岐ブレーカを収納したケースの少なくとも天板に通気孔を設けた住宅用分電盤ケースの排熱構造であって、
前記天板の通気孔に隣接する裏面に舌状板を垂下するよう形成し、
前記舌状板には、途中から横方向に折り曲げられて前記通気孔の下方を覆う塵受け面が形成され、
更に前記通気孔は、スリット状の開口部を前記ケースの前後方向に複数列設したスリット群を左右方向に複数備えて形成されると共に、前記舌状板は前記スリット群毎に設けられ、
前記塵受け面は前記スリット群に対して前後方向に帯状を成して形成されて、前記通気孔から侵入した塵を受け止めることを特徴とする住宅用分電盤ケースの排熱構造。
【発明の詳細な説明】
【技術分野】
【０００１】
本発明は、ブレーカ等の電気機器を収納する住宅用分電盤に関し、詳しくは住宅用分電盤ケースの排熱構造に関する。
【背景技術】
【０００２】
住宅用分電盤のケースは気密性を有することが望ましいが、ブレーカ等の電気機器は発熱するため、ケースには通気孔が設けられている。この通気孔は、大きさに比例して排熱効率が向上するが、大きく形成すると塵や虫が入り込んで収容機器の絶縁低下の原因になるため開口部をできるだけ小さく、更に塵等を入り難くする工夫が成された。
例えば特許文献１では、ケースの一部を成す基台の上面に設けたスリット状の通気孔自体を傾斜形成すると共に、通気孔の壁面を下方まで延設して、塵等が入り込むのを難しくした。
【先行技術文献】
【特許文献】
【０００３】
【特許文献１】特開２００２−２７１９２２号公報
【発明の概要】
【発明が解決しようとする課題】
【０００４】
上記特許文献１の排熱構造は、上面に形成したスリット状の通気孔自体を傾斜形成させて、個々の通気孔の壁の下方を延設することで塵等の内部への入り込みを難しくしたが、通気孔に入り込んだ塵等は一時的に傾斜面上に留まる程度で、最終的には内部へ侵入してしまい、効果が薄かった。
【０００５】
そこで、本発明はこのような問題点に鑑み、排熱のための通気孔をケース上部に設けても、その開口部から塵等が内部の機器まで侵入するのを防止できる住宅用分電盤ケースの排熱構造を提供することを目的としている。
【課題を解決するための手段】
【０００６】
上記課題を解決する為に、請求項１の発明は、主幹ブレーカ及び分岐ブレーカを収納したケースの少なくとも天板に通気孔を設けた住宅用分電盤ケースの排熱構造であって、天板の通気孔に隣接する裏面に舌状板を垂下するよう形成し、舌状板には、途中から横方向に折り曲げられて通気孔の下方を覆う塵受け面が形成され、更に通気孔は、スリット状の開口部をケースの前後方向に複数列設したスリット群を左右方向に複数備えて形成されると共に、舌状板はスリット群毎に設けられ、塵受け面はスリット群に対して前後方向に帯状を成して形成されて、通気孔から侵入した塵を受け止めることを特徴とする。
この構成によれば、天板に設けた通気孔の下方には塵受け面が配置されているため、通気孔から侵入した塵が塵受け面に受け止められてケース内部に入り込むのを防ぐことができる。そして、塵受け面は垂下形成した舌状板を横方向に折り曲げて形成されるため、天板裏面の通気孔周囲は一方の側面と下方が閉塞されるが、他方の側面は開放状態を維持でき、通気孔の機能が制限されることもない。
【０００７】
加えて、スリット群のそれぞれに対して舌状板が設けられることで、通気孔全体が天板の広い面積で形成されても、個々の舌状板を小さくできる。よって、個々のスリット群は良好に排熱機能を発揮でき、ケース内部に熱がこもるような事態を防ぐことができ、良好な排熱を実施できる。
【発明の効果】
【０００８】
本発明によれば、天板に設けた通気孔の下方には塵受け面が配置されているため、通気孔から侵入した塵が塵受け面に受け止められてケース内部に入り込むのを防ぐことができる。そして、塵受け面は垂下形成した舌状板を横方向に折り曲げて形成されるため、天板裏面の通気孔周囲は一方の側面と下方が閉塞されるが、他方の側面は開放状態を維持でき、通気孔の機能が制限されることもない。
【図面の簡単な説明】
【０００９】
【図１】本発明に係る住宅用分電盤ケースの排熱構造の一例を示す分電盤ケースの分解斜視図である。
【図２】基台に機器を組み付けた斜視図である。
【図３】Ａ部拡大図である。
【図４】（ａ）は分電盤ケースの一方を構成するカバーの背面側斜視図、（ｂ）はＢ部拡大図である。
【図５】カバーの一部を拡大した背面図を示し、図４のＢ部を拡大した背面図である。
【発明を実施するための形態】
【００１０】
以下、本発明を具体化した実施の形態を、図面を参照して詳細に説明する。図１は本発明に係る住宅用分電盤ケースの排熱構造の一例を示す分電盤ケースの分解斜視図であり、１は壁面に設置されて機器が組み付けられる基台、２は基台１の前面を覆うカバーであり、ケース１０はこの基台１とカバー２とで構成されている。
【００１１】
基台１は枠状に周設された機器取付枠を有し、１１はカバー２を係止して保持する係止凹部である。図２はこの基台１に主幹ブレーカ３、分岐ブレーカ４を組み付けた状態を示し、基台１には架台５が取り付けられ、架台５に対して主幹ブレーカ３及び分岐ブレーカ４が組み付けられる。
尚、図２では分岐ブレーカ４が１つだけ組み付けられた状態を示しているが、組み付けた分岐ブレーカ４の図示右側スペースに必要な数の分岐ブレーカ４が隣接されて組み付けられる。
【００１２】
カバー２は、前面板２１とその周囲に形成された側面板２２を有している。前面板２１には主幹ブレーカ３や分岐ブレーカ４の操作ハンドル３ａ，４ａを露出させる操作窓２１ａ，２１ｂが開口形成され、充電部等の他の部位は露出しないよう形成されている。
側面板２２は、左右側板２２ａ、上部の天板２２ｂ、下部の底板２２ｃ（図４に示す）を有し、前面板２１の周囲を囲み、カバー２は後方に向けて開放されいる。左右の側板２２ａには基台１の係止凹部１１に係止する係止片２４が設けられている。
【００１３】
この左右の側板２２ａ、天板２２ｂ及び底板２２ｃにはそれぞれ通気孔６が設けら、図３はＡ部拡大図を示し、天板２２ｂに設けられた通気孔６を示している。
図３に示すように、通気孔６は複数のスリット状の開口部６ａが列設されて構成され、塵や虫が入り難いように形成されている。
尚、側板２２ａ及び底板２２ｃに形成された通気孔も同様にスリット状の開口部６ａを複数設けて形成されている。
【００１４】
但し、天板２２ｂに設けられた通気孔６に対しては、天板２２ｂの下面に設けられた後述する舌状板２５により下方が覆われている。
図４（ａ）はカバー２の背面側斜視図、（ｂ）はＢ部拡大図を示し、天板２２ｂに形成された通気孔６、及びその周囲に形成された舌状板２５から成る排熱構造を示し、以下この排熱構造を図４を参照して説明する。
【００１５】
天板２２ｂに形成された通気孔６は、図４に示すように分岐ブレーカ４の列設位置に合わせて設けられ、効果的に排熱が行われるよう配置されている。通気孔６は、上述したようにスリット状の開口部６ａを複数列設したスリット群６ｂが横方向に複数形成され、各スリット群６ｂに対して舌状板２５が形成されている。
舌状板２５は天板２２ｂの下面から垂下するように形成され、図４（ｂ）に示すように個々のスリット群６ｂに対して隣接する部位に形成されている。そして、スリット群６ｂの形状に合わせてカバー２の前後方向に長く帯状に形成され、垂下された先端部は円弧状に折り曲げ形成されて横方向に延設されている。こうして、スリット群６ｂの下方を覆う塵受け面２５ａを形成している。図５はカバー２の一部を拡大した背面図を示し、図４のＢ部を拡大した背面図であり、図５に示すように舌状板２５は円弧状に折り曲げ形成され、且つ開口部６ａの真下に配置されている。
【００１６】
このように、天板２２ｂに設けた通気孔６の下方には塵受け面２５ａが配置されているため、通気孔６から侵入した塵がケース１０の内部に入り込むのを防ぐことができる。そして、塵受け面２５ａは垂下形成した舌状板２５を横方向に折り曲げて形成されるため、天板２２ｂ裏面の通気孔周囲は一方の側面と下方が閉塞されるが、他方の側面は開放状態を維持でき、通気孔の機能が劣化することはない。
また、スリット群６ｂのそれぞれに対して舌状板２５が設けられることで、通気孔６全体が天板２２ｂの広い面積で形成されても、個々の舌状板２５を小さくできる。よって、個々のスリット群６ｂは良好に排熱機能を発揮でき、ケース１０内部に熱がこもるような事態を防ぐことができ、良好な排熱を実施できる。
更に、舌状板２５を円弧状に折り曲げて塵受け面２５ａを形成することで、塵受け面２５ａの中央には凹部が形成されて受け止めた塵等を保持できる。そのため、溜まった塵等が下方に落ち難い。
【００１７】
尚、舌状板２５はカバー２の前後方向に帯状に形成しているが、カバー２の左右方向に帯状に形成しても良い。また円弧状に形成しているが、Ｌ字状に形成して塵受け面２５ａを平坦に形成しても良い。
【符号の説明】
【００１８】
１・・基台、２・・カバー、３・・主幹ブレーカ、４・・分岐ブレーカ、６・・通気孔、６ａ・・開口部、６ｂ・・通気孔、１０・・ケース、２２ｂ・・天板、２５・・舌状板、２５ａ・・塵受け面。
【図１】
0006488099.tif 000002
【図２】
0006488099.tif 000003
【図３】
0006488099.tif 000004
【図４】
0006488099.tif 000005
【図５】
0006488099.tif 000006